(57)【要約】  移動通信システムのための基地局は、少なくとも１つのユーザ機器と通信するように構成された回路を含み、回路は、データ送信のために前記少なくとも１つのユーザ機器によって使用される第１のセットのアップリンクチャネル送信パラメータ及び第２のセットのアップリンクチャネル送信パラメータの使用を示すようにさらに構成されている。【選択図】図２
2021532652.tif 000002
【特許請求の範囲】
【請求項１】
少なくとも１つのユーザ機器と通信するように構成された回路を含む移動通信システムのための基地局であって、前記回路は、データ送信のために前記少なくとも１つのユーザ機器によって使用される第１のセットのアップリンクチャネル送信パラメータ及び第２のセットのアップリンクチャネル送信パラメータの使用を示すようにさらに構成される、基地局。
【請求項２】
前記第１のセットのアップリンクチャネル送信パラメータは、ショートデータ送信を指し、前記第２のセットのアップリンクチャネル送信パラメータは、ロングデータ送信を指す、請求項１に記載の基地局。
【請求項３】
前記第１のセットと前記第２のセットのアップリンクチャネル送信パラメータの使用は、無線ネットワーク一時識別子、ダウンリンク制御情報フォーマット、物理ダウンリンク制御チャネル制御リソースセット、サーチスペース、物理アップリンク共有チャネルに対するグラントフリーリソースの使用、スロット数の占有、無線リソース制御のうちの少なくとも１つに基づいて指示される、請求項１に記載の基地局。
【請求項４】
前記第１のセット及び第２のセットのアップリンクチャネル送信パラメータの使用は、信号付き物理アップリンク制御チャネルリソースに基づいて、及び物理アップリンク制御チャネルリソースセット識別、物理アップリンク制御チャネルリソース識別、リソース識別のグループのうちの少なくとも１つに基づいて、暗黙的に指示される、請求項１に記載の基地局。
【請求項５】
前記第１のセット及び前記第２のセットのアップリンクチャネル送信パラメータは、電力制御パラメータに関連する、請求項１に記載の基地局。
【請求項６】
前記第１のセット及び前記第２のセットのアップリンクチャネル送信パラメータは、異なる物理アップリンク制御チャネルリソースに関連する、請求項１に記載の基地局。
【請求項７】
前記第１及び第２のセットのアップリンクチャネル送信パラメータセットは、アップリンク又はダウンリンク送信で使用される繰り返しに関連する、請求項１に記載の基地局。
【請求項８】
前記第１及び第２のアップリンクチャネル送信パラメータは、物理ダウンリンク共有チャネル及び物理アップリンク制御チャネルのうちの少なくとも１つに対する遅延に関連する、請求項１に記載の基地局。
【請求項９】
前記第１及び第２のセットのアップリンクチャネル送信パラメータは、周波数ホッピングパターンに関連する、請求項１に記載の基地局。
【請求項１０】
前記第１のセット及び前記第２のセットのアップリンクチャネル送信パラメータは、送信ダイバーシティ方式に関連する、請求項１に記載の基地局。
【請求項１１】
前記第１及び第２のセットのアップリンクチャネル送信パラメータは、ピギーバックが使用されるかどうかに関連する、請求項１に記載の基地局。
【請求項１２】
アップリンク制御情報のピギーバックの使用が指示される、請求項１１に記載の基地局。
【請求項１３】
前記第１のセットのアップリンクチャネル送信パラメータの使用が、前記データ送信のために指示される場合、アップリンク制御情報のピギーバックは使用されない、請求項１２に記載の基地局。
【請求項１４】
前記第１のセットのアップリンクチャネル送信パラメータの使用が、前記データ送信のために示され、前記アップリンク制御情報の量が閾値未満である場合に、アップリンク制御情報のピギーバックは使用される、請求項１２に記載の基地局。
【請求項１５】
前記第１のセットのアップリンクチャネル送信パラメータの使用が、前記データ送信のために指示されるとき、及び、前記アップリンク制御情報が、前記第２のセットのアップリンクチャネル送信パラメータを使用して、物理アップリンク制御チャネルによって搬送されるとき、アップリンク制御情報のピギーバックは使用されない、請求項１２に記載の基地局。
【請求項１６】
第１のセットのアップリンクチャネル送信パラメータの使用がデータ送信のために指示されるとき、及びアップリンク制御情報が第１のセットのアップリンクチャネル送信パラメータを使用して物理アップリンク制御チャネルによって搬送されるとき、アップリンク制御情報のピギーバックは使用される、請求項１２に記載の基地局。
【請求項１７】
２つの物理アップリンク共有チャネルが衝突するとき、前記第１のセットのアップリンクチャネル送信パラメータを使用する前記物理アップリンク共有チャネルは、前記第２のセットのアップリンクチャネル送信パラメータを使用する前記物理アップリンク共有チャネルよりも優先度を有する、請求項１に記載の基地局。
【請求項１８】
２つの物理アップリンク共有チャネルが衝突し、前記２つの物理アップリンク共有チャネルが、前記第１のセットの前記アップリンクチャネル送信パラメータを使用するとき、後の物理アップリンク共有チャネルは、前の物理アップリンク共有チャネルよりも優先度を有する、請求項１に記載の基地局。
【請求項１９】
２つの物理アップリンク制御チャネルが衝突するとき、前記第１のセットのアップリンクチャネル送信パラメータを使用する前記物理アップリンク制御チャネルは、前記第２のセットのアップリンクチャネル送信パラメータを使用する前記物理アップリンク制御チャネルよりも優先度を有する、請求項１に記載の基地局。
【請求項２０】
前記第１のセットの前記アップリンクチャネル送信パラメータを使用する２つの物理アップリンク制御チャネルが衝突するとき、両方の物理アップリンク制御チャネルのアップリンク制御情報が、単一の物理アップリンク制御チャネル送信に共同で符号化される、請求項１に記載の基地局。
【請求項２１】
少なくとも１つの基地局と通信するように構成された回路を含む、移動体通信システムのためのユーザ機器であって、前記回路は、データ送信のための第１のセットのアップリンクチャネル送信パラメータ及び第２のセットのアップリンクチャネル送信パラメータの使用の指示を受信するようにさらに構成される、ユーザ機器。
【請求項２２】
前記第１のセットのアップリンクチャネル送信パラメータは、ショートデータ送信を指し、前記第２のセットのアップリンクチャネル送信パラメータは、ロングデータ送信を指す、請求項２１に記載のユーザ機器。
【請求項２３】
前記第１のセットと前記第２のセットのアップリンクチャネル送信パラメータの使用は、無線ネットワーク一時識別子、ダウンリンク制御情報フォーマット、物理ダウンリンク制御チャネル制御リソースセット、サーチスペース、物理アップリンク共有チャネルに対するグラントフリーリソースの使用、スロット数の占有、無線リソース制御のうちの少なくとも１つに基づいて指示される、請求項２１に記載のユーザ機器。
【請求項２４】
前記第１のセット及び第２のセットのアップリンクチャネル送信パラメータの使用は、信号付き物理アップリンク制御チャネルリソースに基づいて、及び物理アップリンク制御チャネルリソースセット識別、物理アップリンク制御チャネルリソース識別、リソース識別のグループのうちの少なくとも１つに基づいて、暗黙的に指示される、請求項２１に記載のユーザ機器。
【請求項２５】
前記第１及び第２のセットのアップリンクチャネル送信パラメータは、電力制御パラメータに関連している、請求項２１に記載のユーザ機器。
【請求項２６】
前記第１及び前記第２のセットのアップリンクチャネル送信パラメータは、異なる物理アップリンク制御チャネルリソースに関連している、請求項２１に記載のユーザ機器。
【請求項２７】
前記第１及び第２のセットのアップリンクチャネル送信パラメータは、アップリンク又はダウンリンク送信において使用される繰り返しに関連している、請求項２１に記載のユーザ機器。
【請求項２８】
前記第１及び第２のセットのアップリンクチャネル送信パラメータは、物理ダウンリンク共有チャネル及び物理アップリンク制御チャネルのうちの少なくとも１つの遅延に関連している、請求項２１に記載のユーザ機器。
【請求項２９】
前記第１及び前記第２のセットのアップリンクチャネル送信パラメータは、周波数ホッピングパターンに関連している、請求項２１に記載のユーザ機器。
【請求項３０】
前記第１及び第２のセットのアップリンクチャネル送信パラメータは、送信ダイバーシティ方式に関連している、請求項２１に記載のユーザ機器。
【請求項３１】
前記第１及び第２のアップリンクチャネル送信パラメータセットは、ピギーバックが使用されるかどうかに関連している、請求項２１に記載のユーザ機器。
【請求項３２】
アップリンク制御情報のピギーバックの使用が指示される、請求項３１に記載のユーザ機器。
【請求項３３】
前記第１のセットのアップリンクチャネル送信パラメータの使用が前記データ送信のために指示される場合、アップリンク制御情報のピギーバックは使用されない、請求項３２に記載のユーザ機器。
【請求項３４】
前記第１のセットのアップリンクチャネル送信パラメータの使用が、前記データ送信のために示され、前記アップリンク制御情報の量が閾値未満である場合、アップリンク制御情報のピギーバックが使用される、請求項３２に記載のユーザ機器。
【請求項３５】
第１のセットのアップリンクチャネル送信パラメータの使用がデータ送信のために指示されるとき、及び前記アップリンク制御情報が第２のセットのアップリンクチャネル送信パラメータを使用して物理アップリンク制御チャネルによって搬送されるとき、アップリンク制御情報のピギーバックは使用されない、請求項３２に記載のユーザ機器。
【請求項３６】
第１のセットのアップリンクチャネル送信パラメータの使用がデータ送信のために指示されるとき、及び前記アップリンク制御情報が第１のセットのアップリンクチャネル送信パラメータを使用して物理アップリンク制御チャネルによって搬送されるとき、アップリンク制御情報のピギーバックは使用される、請求項３２に記載のユーザ機器。
【請求項３７】
２つの物理アップリンク共有チャネルが衝突した場合、第１のセットのアップリンクチャネル送信パラメータを使用する前記物理アップリンク共有チャネルは、第２のセットのアップリンクチャネル送信パラメータを使用する前記物理アップリンク共有チャネルよりも優先度を有する、請求項２１に記載のユーザ機器。
【請求項３８】
２つの物理アップリンク共有チャネルが衝突し、前記２つの物理アップリンク共有チャネルが第１のセットのアップリンクチャネル送信パラメータを使用する場合、後の物理アップリンク共有チャネルは、前の物理アップリンク共有チャネルよりも優先度を有する、請求項２１に記載のユーザ機器。
【請求項３９】
２つの物理アップリンク制御チャネルが衝突するとき、前記第１のセットのアップリンクチャネル送信パラメータを使用する前記物理アップリンク制御チャネルは、前記第２のセットのアップリンクチャネル送信パラメータを使用する前記物理アップリンク制御チャネルよりも優先される、請求項２１に記載のユーザ機器。
【請求項４０】
前記第１のセットのアップリンクチャネル送信パラメータを使用する２つの物理アップリンク制御チャネルが衝突するとき、両方の物理アップリンク制御チャネルのアップリンク制御情報が、単一の物理アップリンク制御チャネル送信に共同で符号化される、請求項２１に記載のユーザ機器。
【請求項４１】
少なくとも１つのユーザ機器と通信するように構成された移動通信システムのための、基地局、特に請求項１から請求項２０のいずれか一項に記載の基地局のための回路であって、前記回路は、データ送信のために前記少なくとも１つのユーザ機器によって使用される第１のセットのアップリンクチャネル送信パラメータ及び第２のセットのアップリンクチャネル送信パラメータの使用を示すようにさらに構成される、回路。
【請求項４２】
少なくとも１つの基地局と通信するように構成された移動通信システムのための、ユーザ機器、特に請求項２１から請求項４０のいずれか一項に記載のユーザ機器のための回路であって、前記回路は、データ送信のための第１のセットのアップリンクチャネル送信パラメータ及び第２のセットのアップリンクチャネル送信パラメータの使用の指示を受信するようにさらに構成される、ユーザ機器のための回路。
【請求項４３】
少なくとも１つの基地局と少なくとも１つのユーザ機器との間の通信を提供するように構成されたモバイル遠隔通信システムであって、前記少なくとも１つの基地局は、特に請求項１から請求項２０のいずれかに従って、データ送信のために少なくとも１つのユーザ機器によって使用される第１のセットのアップリンクチャネル送信パラメータ及び第２のセットのアップリンクチャネル送信パラメータの使用を示すように構成された回路を備え、前記少なくとも１つのユーザ機器は、特に請求項２１から請求項４０のいずれかに従って、データ送信のために第１のセットのアップリンクチャネル送信パラメータ及び第２のセットのアップリンクチャネル送信パラメータの使用の指示を受信するように構成された回路を含む、モバイル遠隔通信システム。
【請求項４４】
少なくとも１つの基地局と少なくとも１つのユーザ機器との間の通信を提供するためのモバイル遠隔通信システム方法であって、データ送信のために少なくとも１つのユーザ機器によって使用される第１のセットのアップリンクチャネル送信パラメータ及び第２のセットのアップリンクチャネル送信パラメータの使用を示す、又は、データ送信のために第１のセットのアップリンクチャネル送信パラメータ及び第２のセットのアップリンクチャネル送信パラメータの使用の指示を受信することを含む、モバイル遠隔通信システム方法。
【発明の詳細な説明】
【技術分野】
【０００１】
本開示は、概して、移動電気通信システムの基地局、ユーザ機器、回路、システム及び方法に関する。
【背景技術】
【０００２】
いくつかの世代の移動電気通信システムが知られており、例えば、国際移動電気通信２０００（ＩＭＴ−２０００）仕様に基づく第３世代（「３Ｇ」）、国際移動電気通信アドバンスドスタンダード（ＩＭＴ−アドバンスドスタンダード）に定義される能力を提供する第４世代（「４Ｇ」）、及び開発中で、２０２０年に実用化される最新の第５世代（「５Ｇ」）が知られている。
【０００３】
５Ｇの要件を提供するための候補は、いわゆるロングタームエボリューション（「ＬＴＥ」）であり、これは、携帯電話及びデータ端末のための高速なデータ通信を可能にする無線通信技術であり、４Ｇ移動通信システムのために既に使用されている。５Ｇ要件を満たすための他の候補は、ＮＲ（ニューラジオ）アクセス技術システムと呼ばれる。ＮＲは、ＬＴＥのいくつかの態様が前世代のモバイル通信技術に基づいていたのと同様に、ＬＴＥ技術に基づくものである。
【０００４】
その目的が、ＲＰ−１７２８３４、「ＮＲアクセス技術の作業項目（ワークアイテム）」、ＮＴＴ  ＤＯＣＯＭＯ、ＲＡＮ＃７８、ポルトガル、リスボン、２０１７年１２月１８−２１日、に定義されている３ＧＰＰ  Ｒｅｌ−１５ＮＲアクセス技術ワークアイテムは、第５世代又は５Ｇ無線アクセスネットワークを指定し、かつ、次のＮＲ機能を指定するものである。すなわち、
・エンハンスドモバイルブロードバンド（ｅＭＢＢ）と、
・超高信頼＆低レイテンシ通信（ＵＲＬＬＣ）であり、
ｅＭＢＢサービスは、２０Ｇｂ／ｓまでサポートする必要がある高容量を特徴とする。大量のデータを高スループットで効率的に送信するために、ｅＭＢＢは使用されるオーバヘッドを最小にするために長いスケジューリング時間を必要とする（ここで、「スケジューリング時間」と呼ぶのはデータパケットを割り当てて送信する時間である）。ＵＲＬＬＣデータは、短いことが期待され、従って、ｅＭＢＢフレームの持続時間よりもかなり短いフレーム持続時間内で、短い持続時間を有する制御及びデータの短いスケジューリング時間が必要とされる。
【０００５】
さらに、３ＧＰＰ文献ＥＴＳＩ  ＴＲ１３８  ９１３、Ｖ１４．２．０（２０１７−０５）、「３Ｇ、次世代アクセス技術のシナリオと要件に関する研究（３ＧＰＰ  ＴＲ３８．９１３バージョン１４．２．０リリース１４）」によれば、ＵＲＬＬＣの２つの重要な要件は、
・低レイテンシ：レイヤ２パケットの入力からネットワークからの出力までに測定される必要なレイテンシは、最大で１ｍｓである。
・信頼度：ＵＲＬＬＣの要件は、３２バイトのパケットの１回の送信について１〜１０<SUP>５</SUP>（９９．９９９％）の信頼度である。
【０００６】
一般に、ｅＭＢＢのような進行中の送信のリソースを先取りし、先取りされたリソースをＵＲＬＬＣのような低レイテンシ送信に使用できるようにすることが知られている。
【０００７】
さらに、ＰＤＣＣＨ（物理ダウンリンク制御チャネル）及びＰＵＣＣＨ（物理アップリンク制御チャネル）等の制御チャネルが、ＵＲＬＬＣ送信のためのスケジューリング及びフィードバック情報を搬送し、ＰＤＳＣＨ（物理ダウンリンク共有チャネル）及びＰＵＳＣＨ（物理アップリンク共有チャネル）が、ＵＲＬＬＣパケットを搬送することが想定される。
【０００８】
ＵＲＬＬＣデータの送信のための技術が存在するが、一般に、既存の技術の改善が望まれている。
【発明の概要】
【課題を解決するための手段】
【０００９】
第１の態様によれば、本開示は、少なくとも１つのユーザ機器と通信するように構成された回路を含む移動通信システム用の基地局を提供し、回路は、データ送信のために少なくとも１つのユーザ機器が使用するための第１のセットのアップリンクチャネル送信パラメータと第２のセットのアップリンクチャネル送信パラメータの使用を示すようにさらに構成される。
【００１０】
第２の態様によれば、本開示は、少なくとも１つの基地局と通信するように構成された回路を含む移動通信システムのためのユーザ機器を提供し、回路は、データ送信のための第１のセットのアップリンクチャネル送信パラメータと第２のセットのアップリンクチャネル送信パラメータの使用の指示を受信するようにさらに構成される。
【００１１】
第３の態様によれば、本開示は、少なくとも１つのユーザ機器と通信するように構成された移動通信システムの基地局のための回路を提供し、回路は、データ送信のために少なくとも１つのユーザ機器によって使用される第１のセットのアップリンクチャネル送信パラメータ、及び第２のセットのアップリンクチャネル送信パラメータの使用を示すようにさらに構成される。
【００１２】
第４の態様によれば、本開示は、少なくとも１つの基地局と通信するように構成された移動通信システムのユーザ機器のための回路を提供し、回路は、データ送信のための第１のセットのアップリンクチャネル送信パラメータと第２のセットのアップリンクチャネル送信パラメータの使用の指示を受信するようにさらに構成される。
【００１３】
第５の態様によれば、本開示は、少なくとも１つの基地局と少なくとも１つのユーザ機器との間の通信を提供するように構成された移動通信システムを提供し、少なくとも１つの基地局は、データ送信のために、少なくとも１つのユーザ機器が使用するための第１のセットのアップリンクチャネル送信パラメータと第２のセットのアップリンクチャネル送信パラメータとの使用を示すように構成された回路を含み、少なくとも１つのユーザ機器は、データ送信のための第１のセットのアップリンクチャネル送信パラメータと第２のセットのアップリンクチャネル送信パラメータの使用の指示を受信するように構成された回路を含む。
【００１４】
第６の態様によれば、本開示は、少なくとも１つの基地局と少なくとも１つのユーザ機器との間の通信を提供するための移動体通信システム方法であって、データ送信のために少なくとも１つのユーザ機器によって使用される第１のセットのアップリンクチャネル送信パラメータの及び第２のセットのアップリンクチャネル送信パラメータの使用を示すこと、又はデータ送信のための第１のセットのアップリンクチャネル送信パラメータ及び第２のセットのアップリンクチャネル送信パラメータの使用の指示を受信することを含む、移動体通信システム方法を提供する。
【００１５】
さらなる態様は、従属請求項、以下の説明及び図面に記載される。実施形態は、添付の図面を参照して一例として説明される
【図面の簡単な説明】
【００１６】
【図１】無線アクセスネットワークの実施形態を示す図である。
【図２】ＵＲＬＬＣ送信によるｅＭＢＢ送信の先取りを示す図である。
【図３】本開示の実施形態を示す図である。
【図４】第１のセット及び第２のセットのアップリンクチャネル送信パラメータが指示される無線アクセスネットワークの実施形態を示す図である。
【図５】第１及び第２のセットのアップリンクチャネル送信パラメータの指示に基づいて電力制御オフセットパラメータが指示される実施形態を示す図である。
【図６】第１及び第２のセットのアップリンクチャネル送信パラメータの指示に基づいてアップリンクの繰り返しが指示される実施形態を示す図である。
【図７】第１及び第２のセットのアップリンクチャネル送信パラメータの指示に基づいてダウンリンクの繰り返しが指示される実施形態を示す図である。
【図８】第１及び第２のセットのアップリンクチャネル送信パラメータの指示に基づいて遅延が指示される実施形態を示す図である。
【図９】第１及び第２のセットのアップリンクチャネル送信パラメータの指示に基づいて周波数ホッピングパラメータが指示される実施形態を示す図である。
【図１０】第１及び第２のセットのアップリンクチャネル送信パラメータの指示に基づいて送信ダイバーシティ方式が指示される実施形態を示す図である。
【図１１】第１及び第２のセットのアップリンクチャネル送信パラメータの指示に基づいてピギーバックの使用が指示される実施形態を示す図である。
【図１２】第１及び第２のセットのアップリンクチャネル送信パラメータの指示に基づいてピギーバックの使用が指示される他の実施形態を示す図である。
【図１３】第１及び第２のセットのアップリンクチャネル送信パラメータの指示に基づいてピギーバックの使用が指示される他の実施形態を示す図である。
【図１４】第１及び第２のセットのアップリンクチャネル送信パラメータの指示に基づいてＰＵＳＣＨの優先度が指示される実施形態を示す図である。
【図１５】２つのＰＵＳＣＨが衝突する場合に、より遅いＰＵＳＣＨがより早いＰＵＳＣＨより優先される実施形態を示す図である。
【図１６】第１及び第２のセットのアップリンクチャネル送信パラメータの指示に基づいてＰＵＣＣＨの優先度が指示される実施形態を示す図である。
【図１７】ユーザ機器及び基地局の実施形態を示す図である。
【図１８】ユーザ機器又は基地局を実装するために使用される多目的コンピュータを示す図である。
【発明を実施するための形態】
【００１７】
図３を参照して実施形態を詳細に説明する前に、一般的な説明を行う。
【００１８】
冒頭で述べたように、一般に、いくつかの世代の移動電気通信システムが知られており、例えば、国際移動電気通信２０００（ＩＭＴ−２０００）仕様に基づく第３世代（「３Ｇ」）、国際移動電気通信アドバンスドスタンダード（ＩＭＴ−アドバンスドスタンダード）に定義される能力を提供する第４世代（「４Ｇ」）、及び開発中で、２０２０年に実用化される最新の第５世代（「５Ｇ」）が知られている。
【００１９】
５Ｇ要件を満たすための候補の１つは、ＮＲ（ニューラジオ）アクセス技術システムと呼ばれる。ＮＲのいくつかの態様は、ＬＴＥのいくつかの態様が前世代のモバイル通信技術に基づいていたのと同様に、いくつかの実施形態において、ＬＴＥ技術に基づくものである。
【００２０】
冒頭で述べたように、ここで論じるニューラジオ（ＮＲ）アクセス技術の２つの新しい機能は、拡張モバイルブロードバンド（ｅＭＢＢ）と超信頼性及び低レイテンシ通信（ＵＲＬＬＣ）サービスである。
【００２１】
ＮＲ無線アクセスネットワークＲＡＮ１の代表的な実施形態を図１に示す。ＲＡＮ１は、ＬＴＥ  ｅＮｏｄｅＢ  ３によって確立されるマクロセル２と、ＮＲ  ｅＮｏｄｅＢ  ５（ｇＮＢ（次世代ｅＮｏｄｅＢ）とも呼ばれる）によって確立されるＮＲセル４とを有する。
【００２２】
ＵＥ６は、ＬＴＥ  ｅＮｏｄｅＢ３と通信することができ、ＮＲセル４内にある限り、ＮＲ  ｅＮｏｄｅＢ５とも通信することができる。
【００２３】
上述のように、ｅＭＢＢサービスには、いくつかの実施形態において、２０Ｇｂ／ｓまでをサポートするための要件による高容量という特徴がある。大量のデータを高スループットで効率的に送信するために、ｅＭＢＢは使用されるオーバーヘッドを最小限に抑えるために長いスケジューリング時間を必要とする（いくつかの実施形態において、「スケジューリング時間」がデータパケットを割り振り、送信する時間である）。
【００２４】
いくつかの実施形態において、上述したように、ＵＲＬＬＣの要件は、レイヤ２パケットの入力からネットワークの出力までに測定される低レイテンシであり、提案される目標は１ミリ秒であり、この点に関して本開示を限定するものではなく、ＵＲＬＬＣの他の要件は、３２バイトパケットの１回の送信について１〜１０<SUP>５</SUP>（９９．９９９％）の信頼度である。ＵＲＬＬＣデータは短いことが予想され、従って、いくつかの実施形態において、ｅＭＢＢフレームのフレーム持続時間よりも大幅に短いフレーム持続時間内で、制御及びデータが短い持続時間を有する短いスケジュール時間が必要とされる。
【００２５】
いくつかの実施形態において、ＵＲＬＬＣの信頼性の態様が、ＬＤＰＣコード（低密度パリティ検査コード）、低符号化率（低いスペクトル効率を有する）、制御チャネルのための高い集約レベル、及び送信機と受信機の両方での複数アンテナのサポートの使用を通じて対処される。スペクトル効率の低いエントリーを有する新しいＣＱＩテーブル（チャネル品質インジケータ）の導入によって、ＵＲＬＬＣがスペクトル効率の良い方法で動作することが可能となり、いくつかの実施形態において、スケジュールされた変調符号化方式（ＭＣＳ）が現在のチャネル条件における信頼性基準を満たすように選択される。
【００２６】
いくつかの実施形態において、ＵＥのためのＵＲＬＬＣ動作の他の態様によれば、ＵＲＬＬＣ送信が特に、進行中の送信がより低い優先度のものである場合、例えば、ＵＲＬＬＣ送信よりも一般に遅延耐性が高い拡張モバイルブロードバンド（ｅＭＢＢ）送信である場合に、既存の送信を先取りすることができる。このような先取りは、同じＵＥ内で、又は同じＵＥのために起こる可能性がある。一例が図２に示され、スロットｎにおける時間ｔ<SUB>０</SUB>（横座標、縦座標は周波数を示す）において、ｇＮＢ（５、図１の例を参照）は、時間ｔ<SUB>１</SUB>におけるｅＭＢＢ送信のためにＰＤＳＣＨ（物理ダウンリンク共有チャネル）をスケジュールするために、ＤＬグラント＃１を搬送するＤＣＩ（ダウンリンク制御情報）を送信する。時間ｔ<SUB>２</SUB>において、ＵＲＬＬＣパケットは他のＵＥに到達し、低レイテンシを有するので、ｇＮＢは、同じスロット、即ち、スロットｎ内の時間ｔ<SUB>３</SUB>において、このＵＲＬＬＣ送信のために他のＰＤＳＣＨをスケジューリングするためにＤＬグラント＃２を送信する。この場合、利用可能なリソースは十分ではなく、従って、ｇＮＢは、ＵＲＬＬＣ送信をスケジューリングして、時間ｔ<SUB>１</SUB>で開始したｅＭＢＢ送信のために元々予定されていたリソースのいくつかを占有し、それによって、このｅＭＢＢ送信を先取りする。
【００２７】
いくつかの実施形態において、ＵＲＬＬＣの送信に関与する物理チャネルを強化して、ＵＲＬＬＣ要件を確実に満たすようにしてもよい。ＵＲＬＬＣパケットを搬送するＰＤＳＣＨ（物理ダウンリンク共有チャネル）及びＰＵＳＣＨ（物理アップリンク共有チャネル）等のデータチャネルの信頼性及びレイテンシを改善することとは別に、ＵＲＬＬＣ送信のためのスケジューリング及びフィードバックを搬送するＰＤＣＣＨ（物理ダウンリンク制御チャネル）及びＰＵＣＣＨ（物理アップリンク制御チャネル）等の制御チャネルが、いくつかの実施形態で改善されることが認識されている。
【００２８】
Ｒｅｌ−１５では、物理層において、ＰＤＳＣＨ又はＰＵＳＣＨパケットはそれらのサービスによって区別されない。すなわち、物理層において、ＵＥは、ＰＤＳＣＨのためのＤＬグラント又はＰＵＳＣＨのためのＵＬグラントが、ＵＲＬＬＣ又はｅＭＢＢ送信のためのものであるかどうかを知らない。しかしながら、Ｒｅｌ−１５では、ＰＤＳＣＨとＰＵＳＣＨのための個別のＭＣＳ（変調及び符号化スキーム）テーブルが、ＵＲＬＬＣのために導入されており、これらのＭＣＳテーブルのエントリは高信頼性送信を目標とする低スペクトル効率ＭＣＳを含む。このように、いくつかの実施形態において、ネットワークは、これらの高い信頼性ＭＣＳテーブルのうちの１つを使用するようにＵＥを構成することができ、さらに、ＵＥは、他のＲＮＴＩ（無線ネットワーク一時識別子）を用いて構成することもでき、このＲＮＴＩでマスクされたＣＲＣ（巡回冗長検査）を伴うＤＣＩ（ダウンリンク制御情報）は、その送信のために通常のＭＣＳテーブルではなく、高信頼性ＭＣＳテーブルを使用することをＵＥに示すことになる。従って、いくつかの実施形態において、異なるＲＮＴＩを使用することによって、物理層において、あるレベルのサービス（ＵＲＬＬＣ又はｅＭＢＢ）認識が暗黙で可能になる。
【００２９】
このように、いくつかの実施形態は、ＵＥがグラントがＵＲＬＬＣパケットに対するものであることに気付いている場合、アップリンクチャネルＰＵＳＣＨ及びＰＵＣＣＨを送信する際の改善に関する。いくつかの実施形態において、ＵＲＬＬＣサービスが（例えば、異なるＭＣＳテーブルの使用を通じて）暗黙的に、又は明示的に知られていると仮定される。
【００３０】
従って、いくつかの実施形態は、少なくとも１つのユーザ機器と通信するように構成された回路を含む移動通信システムのための基地局に関し、回路はデータ送信のために少なくとも１つのユーザ機器によって使用される第１のセットのアップリンクチャネル送信パラメータ及び第２のセットのアップリンクチャネル送信パラメータの使用を示すようにさらに構成され、例えば、第１のセット及び第２のセットのアップリンクチャネル送信パラメータは、互いに異なる、及び／又は互いに独立している。
【００３１】
いくつかの実施形態は、少なくとも１つの基地局と通信するように構成された回路を含む移動通信システムのためのユーザ機器に関し、回路はデータ送信のための第１のセットのアップリンクチャネル送信パラメータ及び第２のセットのアップリンクチャネル送信パラメータの使用の指示を受信するようにさらに構成され、例えば、第１のセット及び第２のセットのアップリンクチャネル送信パラメータは互いに異なり、かつ／又は互いに独立している。
【００３２】
本明細書では、ｅＭＢＢ送信は「ロングデータ送信」（又は「長期送信」）の例であり、ＵＲＬＬＣ送信は「ショートデータ送信」（又は「短期送信」）の例である。データ送信は、アップリンク又はダウンリンク送信であってもよく、ショートデータ又はロングデータ送信であってもよく、制御（データ）送信であってもよく、従って、ユーザデータに限定されず、制御データ又は他のデータもカバーする。データ送信は、ＰＵＳＣＨ、ＰＵＣＣＨ、又はＰＤＳＣＨ、ＰＤＣＣＨによって搬送されてもされなくてもよく、その点に関して本開示を限定するものではない。
【００３３】
基地局は、同じく上述したように、ＬＴＥ（ＬＴＥ−Ａ）の原理に基づく、かつ／又はＮＲ  ＲＡＴに基づくものである。基地局は、一例として、ＬＴＥの既知のｅＮｏｄｅＢに基づく、あるいは、前述したＮＲ  ｇＮｏｄｅＢに基づくものである。ユーザ機器は、例えば、モバイル通信インターフェースを含む、携帯電話、スマートフォン、コンピュータ、タブレット、タブレットパーソナルコンピュータ等、又は、例えば、モバイル通信インターフェースを有するホットスポットデバイス等、ＬＴＥ又はＮＲを介してモバイル電気通信を実行することができる任意の他のデバイスであり得る。
【００３４】
いくつかの実施形態において、データ送信は、ユーザ機器から基地局へのアップリンクデータ送信であり、さらに、上述のように、ショートデータ送信又はロングデータ送信であってもよい。
【００３５】
いくつかの実施形態において、第１のセットのアップリンクチャネル送信パラメータがショートデータ送信を指し、第２のセットのアップリンクチャネル送信パラメータがロングデータ送信を指す。従って、第１のセット又は第２のセットのアップリンクチャネル送信パラメータがユーザ機器によって使用されるべきかどうかを（基地局によって）示すことによって、ユーザ機器は、ショートデータ又はロングデータ送信に適合される対応するセットのアップリンクチャネル送信パラメータを使用することができる。
【００３６】
第１及び／又は第２のセットのアップリンクチャネル送信パラメータは、予め定義されていてもよく、又はネットワークによって（動的に）構成されていてもよい。
【００３７】
指示は、第１のセット及び第２のセットのアップリンクチャネル送信のうちのどちら又は両方がデータ送信のためにユーザ機器によって使用されるべきかを示す。
【００３８】
いくつかの実施形態において、第１のセット及び第２のセットのアップリンクチャネル送信パラメータの使用は、例えば、無線ネットワーク一時識別子、ダウンリンク制御情報フォーマット、物理ダウンリンク制御チャネル制御リソース設定、サーチスペース、物理アップリンク共有チャネルのためのグラントフリーリソースの使用、スロット数の占有、無線リソース制御の少なくとも１つに基づいて、明示的又は暗黙的に指示される。従って、ユーザ機器は、そのような指示を受信することができ、その指示に基づいて、アップリンクチャネル送信パラメータのセットのうちのどれがそのデータ送信のために使用されるべきかを決定する。
【００３９】
いくつかの実施形態において、第１のセット及び第２のセットのアップリンクチャネル送信パラメータの使用は、信号付き物理アップリンク制御チャネルリソースに基づいて、及び物理アップリンク制御チャネルリソースセット識別、物理アップリンク制御チャネルリソース識別、リソース識別のグループのうちの少なくとも１つに基づいて、（基地局によって）暗黙的に指示される。従って、ユーザ機器はそのような暗黙の指示を受信することができ、その指示に基づいて、ユーザ機器は、セットのアップリンクチャネル送信パラメータのうちのどれがそのデータ送信のために使用されるべきかを決定する。
【００４０】
また、以下の説明から明らかになるように、いくつかの実施形態において、第１及び第２のセットのアップリンクチャネル送信パラメータうちのどれが使用されるべきかを示すことによって、第１又は第２のセットのアップリンクチャネル送信パラメータの（少なくとも１つの）パラメータが使用されるべきであることも（間接的又は暗黙的に）指示される。例えば、第１のセットのアップリンクチャネル送信パラメータが使用されることが指示される場合、第１のセットのアップリンクチャネル送信パラメータに含まれる（少なくとも１つの）パラメータが使用され、第２のセットのアップリンクチャネル送信パラメータが使用されることが指示される場合、第２のセットのアップリンクパラメータに含まれる（少なくとも１つの）パラメータが使用される。
【００４１】
セットのアップリンクチャネル送信パラメータ及び／又はパラメータ自体は、いくつかの実施形態において、ＲＲＣ接続セットアップで構成されてもよい。
【００４２】
いくつかの実施形態において、第１及び第２のセットのアップリンクチャネル送信パラメータの使用の指示は、第１及び／又は第２のセットのアップリンクチャネル送信パラメータに含まれる電力制御パラメータを示し、第１及び第２のセットのアップリンクチャネル送信パラメータは、電力制御パラメータ、例えば、異なる電力制御パラメータに関連する（アップリンクチャネル送信パラメータの第１のセットの第１、及び第２のセットの第２の電力制御パラメータ、第１及び第２の電力制御パラメータは異なっていてもよい）。従って、ユーザ機器は、例えば、ショートデータ送信及びロングデータ送信のために、異なる電力制御パラメータが使用されるように、例えば、基地局から受信された指示に基づいて送信電力を適応させることができる。いくつかの実施形態において、電力制御パラメータが、第１及び第２のセットのアップリンクチャネル送信パラメータの示された使用に関連する。例えば、第１のセットのアップリンクチャネル送信パラメータの使用が指示される場合、第１の電力制御パラメータが使用され、第２のセットのアップリンクチャネル送信パラメータの使用が指示される場合、第２の電力制御パラメータが使用される。
【００４３】
いくつかの実施形態において、第１及び第２のセットのアップリンクチャネル送信パラメータが異なる物理アップリンク制御チャネルリソースに関連し、例えば、ユーザ機器は、指示に基づいて、それぞれ異なる物理アップリンク制御チャネルリソース、例えば、ショートデータ及びロングデータ送信のための異なる物理アップリンク制御チャネルリソースを使用することができる。
【００４４】
いくつかの実施形態において、第１及び第２のセットのアップリンクチャネル送信パラメータの使用の指示は、アップリンク又はダウンリンク送信において使用されるべき繰り返しを示し（例えば、第１及び第２のセットのアップリンクチャネル送信パラメータは、アップリンク又はダウンリンク送信において使用されるべき繰り返し、例えば、アップリンクチャネル送信パラメータのための第１のセットの第１の繰り返し及び第２のセットの第２の繰り返しに関連する）、これは、第１及び／又は第２のセットのアップリンクチャネル送信パラメータに含まれるか、又は関連し、これにより、ユーザ機器は、例えば、ＰＵＣＣＨ／ＰＵＳＣＨ又はＰＤＣＣＨ／ＰＤＳＣＨ候補の、従った繰り返しを適用することができる。
【００４５】
いくつかの実施形態において、第１及び第２のセットのアップリンクチャネル送信パラメータの使用の指示は、物理ダウンリンク共有チャネル及び物理アップリンク制御チャネルのうちの少なくとも１つのための遅延を示し（例えば、第１及び第２のセットのアップリンクチャネル送信パラメータは、物理ダウンリンク共有チャネル及び物理アップリンク制御チャネルのうち、少なくとも１つについて、遅延、例えば、アップリンクチャネル送信パラメータの第１のセットのための第１の遅延及び第２のセットのための第２の遅延に関連する）、これは、第１及び／又は第２のセットのアップリンクチャネル送信パラメータに含まれるか、又は関連し、ユーザ機器は、検出された又は決定された指示、例えば、ショートデータ及びロングデータ送信のための異なる遅延に応答して、データ送信のための従った遅延を適用する。遅延は、物理ダウンリンク共有チャネルと物理アップリンク制御チャネルとの間に遅延（時間隔）が生じる（導入される）ように適用されてもよい。
【００４６】
いくつかの実施形態において、第１及び第２のセットのアップリンクチャネル送信パラメータの使用の指示は、周波数ホッピングパラメータを示し（例えば、第１及び第２のセットのアップリンクチャネル送信パラメータは周波数ホッピングパターン、例えば、アップリンクチャネル送信パラメータの第１のセットの第１の周波数ホッピングパターン及び第２のセットの第２のセットの周波数ホッピングパターンに関連する）、これは第１及び／又は第２のセットのアップリンクチャネル送信パラメータに含まれるか、又は関連し、これにより、ユーザ機器は、決定された指示、例えば、ショートデータ及びロングデータ送信のための異なる周波数ホッピングスイッチング周波数に応じて、データ送信のための従った周波数ホッピングパターンを適用することができる。
【００４７】
いくつかの実施形態において、第１及び第２のセットのアップリンクチャネル送信パラメータの使用の指示は、送信ダイバーシティスキームを示し（例えば、第１及び第２のセットのアップリンクチャネル送信パラメータは、送信ダイバーシティスキーム、例えば、アップリンクチャネル送信パラメータの第１のセットの第１の送信ダイバーシティスキーム及び第２のセットの第２の送信ダイバーシティスキームに関連する）、これは、第１及び／又は第２のセットのアップリンクチャネル送信パラメータに含まれるか、又は関連し、これにより、ユーザ機器は、決定された指示に従って、データ送信のために送信ダイバーシティを適用してもよい。例えば、ユーザ機器は、ショートデータ及びロングデータ送信に対して異なる数の送信アンテナを適用したり、ショートデータ及びロングデータ送信に対して、送信アンテナと参照信号との間に異なるマッピングを適用することができる。
【００４８】
いくつかの実施形態において、第１及び第２のセットのアップリンクチャネル送信パラメータの使用の指示は、ピギーバックが使用されるかどうかを示し、ピギーバックは、第１及び／又は第２のセットのアップリンクチャネル送信パラメータに含まれるか、又は関連し、これにより、ユーザ機器は、ショートデータ送信又はロングデータ送信等のデータ送信においてピギーバックが使用されるかどうかの指示に基づいて決定してもよい。
【００４９】
いくつかの実施形態において、アップリンク制御情報のピギーバックの使用が示され、第１及び／又は第２のセットのアップリンクチャネル送信パラメータのに含まれるか、又は関連し、これにより、ユーザ機器は、その指示に基づいて、アップリンク制御情報がデータ送信でピギーバックされるかどうかを決定してもよい。
【００５０】
いくつかの実施形態において、第１のセットのアップリンクチャネル送信パラメータの使用がデータ送信のために指示される場合、アップリンク制御情報のデータ送信へのピギーバックは（ユーザ機器によって）使用されない。
【００５１】
いくつかの実施形態において、第１のセットのアップリンクチャネル送信パラメータの使用がデータ送信のために示され、アップリンク制御情報の量が閾値未満である場合、アップリンク制御情報のピギーバックが（ユーザ機器によって）使用される。閾値はビット数を示すことができ、例えば、アップリンク制御情報のビット数が閾値を下回る場合、ユーザ機器は、アップリンク制御情報をピギーバックすることを決定する。
【００５２】
いくつかの実施形態において、第１のセットのアップリンクチャネル送信パラメータの使用が示され、アップリンク制御情報が、第２のセットのアップリンクチャネル送信パラメータを使用して物理アップリンク制御チャネルによって搬送されるとき、アップリンク制御情報のピギーバックは、（ユーザ機器によって）使用されたり、拒絶されない。例えば、ＬＴＥにおいて、ＰＵＣＣＦ１によって搬送されるＵＣＩが同じＵＥにおけるＰＵＳＣＦ１送信と衝突する場合、ＵＣＩ情報は、ＰＵＳＣＨ送信に追加される、すなわち、ピギーバックされる。しかしながら、ＵＲＬＬＣのようなショートデータ送信は高い信頼性を必要とするので、追加情報をピギーバックすることはその性能を低下させることがあり、従って、第１のセットのアップリンクチャネル送信パラメータの使用が指示される場合、ピギーバックは拒絶される。
【００５３】
いくつかの実施形態において、第１のセットのアップリンクチャネル送信パラメータの使用がデータ送信のために指示されるとき、かつアップリンク制御情報が、第１のセットのアップリンクチャネル送信パラメータを使用して物理アップリンク制御チャネルによって搬送されるときに、アップリンク制御情報のピギーバックが、（ユーザ機器によって）使用される。例えば、ＰＵＣＣＨが同じＵＥのＰＵＳＣＨと衝突し、ＰＵＳＣＨが第１のセットのアップリンクチャネル送信パラメータを使用するとき、ＵＣＩが第１のセットのアップリンクチャネル送信パラメータを使用してＰＵＣＣＨによって搬送される場合、ＵＣＩのＰＵＳＣＨへのピギーバックが受け入れられる。
【００５４】
いくつかの実施形態において、２つの物理アップリンク共有チャネルが衝突するとき（ユーザ機器内で）、第１のセットのアップリンクチャネル送信パラメータを使用する物理アップリンク共有チャネルは、第２のセットのアップリンクチャネル送信パラメータのを使用する物理アップリンク共有チャネルよりも優先度が高く、従って、ユーザ機器は第１のセットのアップリンクチャネル送信パラメータを使用してＰＵＳＣＨを優先することができる。１つの優先度付けスキームでは、第１のセットのアップリンクチャネル送信パラメータを使用するＰＵＳＣＨが送信され、第２のセットのアップリンク送信パラメータを使用するＰＵＳＣＨは送信されない。他の優先度付けスキームでは、第１のセットのアップリンクチャネル送信パラメータを使用するＰＵＳＣＨに適用される電力が、第２のセットのアップリンクチャネル送信パラメータを使用するＰＵＳＣＨに適用される電力に対して増加する。
【００５５】
いくつかの実施形態において、２つの物理アップリンク共有チャネルが衝突し、２つの物理アップリンク共有チャネルが第１のセットのアップリンクチャネル送信パラメータを使用するとき、後の物理アップリンク共有チャネルは前の物理アップリンク共有チャネルよりも優先度を有し、これにより、ユーザ機器は、後の物理アップリンク共有チャネルに優先度を有することができるようになる。１つの優先度付けスキームでは、より遅いＰＵＳＣＨが送信され、より早いＰＵＳＣＨは送信されない。他の優先度付けスキームでは、後のＰＵＳＣＨに適用される電力が前のＰＵＳＣＨに適用される電力に対して増加する。
【００５６】
いくつかの実施形態において、２つの物理アップリンク制御チャネルが（ユーザ機器において）衝突するとき、第１のセットのアップリンクチャネル送信パラメータを使用する物理アップリンク制御チャネルは、第２のセットのアップリンクチャネル送信パラメータを使用する物理アップリンク制御チャネルよりも優先度を有し、これにより、ユーザ機器は、第１のセットのアップリンクチャネル送信パラメータを使用してＰＵＣＣＨに優先度を付けることができる。１つの優先度付けスキームでは、第１のセットのアップリンクチャネル送信パラメータを使用するＰＵＣＣＨが送信され、第２のセットのアップリンク送信パラメータのを使用するＰＵＣＣＨは送信されない。他の優先度付けスキームでは、第１のセットのアップリンクチャネル送信パラメータを使用してＰＵＣＣＨに適用される電力が、第２のセットのアップリンクチャネル送信パラメータを使用してＰＵＣＣＨに適用される電力に対して増加する。
【００５７】
いくつかの実施形態において、第１のセットのアップリンクチャネル送信パラメータを使用する２つの物理アップリンク制御チャネルが（ユーザ機器において）衝突するとき、両方の物理アップリンク制御チャネルのアップリンク制御情報は（ユーザ機器によって）単一の物理アップリンク制御チャネル送信に共同で符号化される。
【００５８】
いくつかの実施形態は、本明細書に記載されるように、少なくとも１つのユーザ機器と通信するように構成された移動体通信システムのための基地局のための回路に関し、回路は、本明細書に記載されるように、データ送信のために少なくとも１つのユーザ機器によって使用される第１のセットのアップリンクチャネル送信パラメータ及び第２のセットのアップリンクチャネル送信パラメータの使用を示すようにさらに構成される。
【００５９】
いくつかの実施形態は、本明細書に記載されるように、少なくとも１つの基地局と通信するように構成された移動電気通信システムのための、ユーザ機器のための回路に関し、回路は、本明細書に記載されるように、第１のセットのアップリンクチャネル送信パラメータと第２のセットのアップリンクチャネル送信パラメータの使用の指示を受信するようにさらに構成される。
【００６０】
いくつかの実施形態は、本明細書に記載されるように、少なくとも１つの基地局と少なくとも１つのユーザ機器との間の通信を提供するように構成された移動通信システムに関し、ここで、少なくとも１つの基地局は、本明細書に記載されるように、データ送信のために少なくとも１つのユーザ機器によって使用される、第１のセットのアップリンクチャネル送信パラメータ及び第２のセットのアップリンクチャネル送信パラメータの使用を示すように構成された回路を含み、ここで、少なくとも１つのユーザ機器は、本明細書に記載されるように、データ送信のための第１のセットのアップリンクチャネル送信パラメータ及び第２のセットのアップリンクチャネル送信パラメータの使用の指示を受信するように構成された回路を含む。
【００６１】
いくつかの実施形態は、本明細書に記載されるように、少なくとも１つの基地局と少なくとも１つのユーザ機器との間の通信を提供するための移動通信システム方法に関し、本明細書に記載されるように、データ送信のために少なくとも１つのユーザ機器によって使用される第１のセットのアップリンクチャネル送信パラメータ及び第２のセットのアップリンクチャネル送信パラメータの使用を示すこと、及び／又は、本明細書に記載されるように、データ送信のための第１のセットのアップリンクチャネル送信パラメータ及び第２のセットのアップリンクチャネル送信パラメータの使用の指示を受信することとを含む。
【００６２】
図３に戻ると、いくつかの実施形態で使用される基本原理、すなわち、少なくとも２つのセットのアップリンクチャネル送信パラメータ１０、１１、ＰＵＳＣＨ及びＰＵＣＣＨのための１つの（第１の）設定１０、及びＰＵＳＣＨ及びＰＵＣＣＨのための他の１１を提供する（他の実施形態において、さらなるセットのパラメータが提供されてもよい）。第１のセットのアップリンク送信パラメータは、低遅延及び高い信頼性をもってＵＲＬＬＣ送信をターゲットとし、そのために使用され、一方、第２のセット１１のアップリンク送信パラメータは、非ＵＲＬＬＣ送信、例えば、ｅＭＢＢをターゲットとし、そのために使用される。第１の１０及び第２の１１の送信パラメータ及び／又はその値は異なる。ＵＲＬＬＣとｅＭＢＢ送受信の両方において、第１と第２のセットで定義されていない他の送信パラメータが一般的である。
【００６３】
図１に示され、上で説明されたのと同じＲＡＮ１を示す図４に示されるように、ＬＴＥｅＮｏｄｅＢ３及び／又はｇＮＢ５は、第１及び第２のセットのアップリンク送信パラメータのＵＥ６に送信し、及び／又は第１のセット１０又は第２のセット１１のアップリンク送信パラメータを使用するかどうかをＵＥ６に示すことができる。
【００６４】
いくつかの実施形態において、使用されるセットのアップリンクチャネル送信パラメータは、以下の可能性のうちの１つ又は複数を使用して示される。
異なるＲＮＴＩ：つまり、第１のセットのアップリンクチャネルパラメータは、第２のセットのアップリンクチャネルパラメータによって使用されるものとは異なるＲＮＴＩを使用して暗黙的に指示される。
ＤＣＩフォーマット：第１のセットを使用する場合と、第２のセットを使用する場合では、異なるＤＣＩフォーマットが使用される。
ＰＤＣＣＦ１制御リソースセット（ＣＯＲＥＳＥＴ）／サーチスペース：セットのアップリンクチャネルパラメータは、ＰＤＣＣＦ１が検出されたＣＯＲＥＳＥＴ及び／又はサーチスペースによって暗黙的に指示される。ＣＯＲＥＳＥＴ及び／又はサーチスペースに対応するセットのアップリンクチャネル送信パラメータは、ＲＲＣ信号を使用して示すことができる。例えば、ＰＤＣＣＦ１が最初のＣＯＲＥＳＥＴで受信された場合、第１のセットのアップリンクチャネルパラメータが使用される。一方、ＰＤＣＣＨが２番目のＣＯＲＥＳＥＴで受信された場合、第２のセットのアップリンクチャネルパラメータが使用される。
【００６５】
グラントフリーリソーススペース：一部のグラントフリーリソースは、第１のセットのアップリンクチャネルパラメータに関連し、その他のグラントフリーリソースは第２のセットのアップリンクチャネルパラメータに関連する。次に、使用するアップリンクチャネルパラメータの設定は、ＰＵＳＣＨ送信に使用されるグラントフリーリソースによって異なる。一例では、ＵＲＬＬＣ及びｅＭＢＢのために異なるグラントフリーリソースが使用され、異なるグラントフリーリソースは異なるアップリンクチャネルパラメータに関連する。
【００６６】
スケジュールされたＰＤＳＣＨ／ＰＵＳＣＨは、所定の数のミニスロットを占有する。例えば、スケジュールされたＰＤＳＣＨ／ＰＵＳＣＨが２つのミニスロットを占有する場合、第１のセットのパラメータを使用する。それ以外の場合は、第２つセットのパラメータを使用する。
【００６７】
設定は、ＵＥが使用を通知されるＰＵＣＣＨリソースを介して暗黙的に示すことができる。いくつかの実施形態において、ＰＵＣＣＨリソースと、セットのアップリンク送信パラメータとの間のリンクは、ＰＵＣＣＨリソースセットＩＤのうちの１つ又は複数に基づくものである。４つまでのＰＵＣＣＨリソースセットがある。ＵＥが使用するＰＵＣＣＨリソースセットは、ＲＲＣ（無線リソース制御）を介して通知される。
【００６８】
リソースＩＤのグループ（ＰＵＣＣＨリソースセット内）は、ＤＣＩ又はＰＤＣＣＨを使用して示され、一部のＰＤＣＣＥ（制御チャネルエレメント）に関連したリソースＩＤは、１セットのアップリンク送信パラメータに関連する（ＰＵＣＣＨリソースセット内の特定のＰＵＣＣＨリソースＩＤが、特定のＣＣＥで開始するＰＤＣＣＨに関連する）か、又は特定の「ＰＵＣＣＨリソース指示」ＤＣＩビットに関連したリソースＩＤが、１セットのアップリンク送信パラメータに関連する（「ＰＵＣＣＨリソース指示」は、ＤＣＩ内の３ビットフィールドにある）。ＰＵＣＣＨリソース指示の使用の例として、これらの３ビットが、「０００」と「０１１」の間の値を示す場合、第１のセットのアップリンク送信パラメータが使用され、そうでない場合は、第２のセットのアップリンク送信パラメータが使用される。
【００６９】
ＰＵＣＣＨリソースとアップリンク送信パラメータのセットとの連携も、ＰＵＣＣＨリソースＩＤに基づいて行うことができる。ＰＵＣＣＨリソースＩＤは最大１２８個である。いくつかのリソースＩＤ（例えば、リソースＩＤ  ０＞６３）は、第１のセットのアップリンク送信パラメータに関連させることができ、いくつかのリソースＩＤ（例えば、リソースＩＤ  ６４＞１２７）は、第２のセットのアップリンク送信パラメータに関連させることができる。
【００７０】
セットのパラメータは、ＲＲＣ構成に基づいて示すこともできる。ネットワークＲＲＣがどのセットのアップリンクチャネル送信パラメータを使用するかを構成する。
【００７１】
一実施形態において、図５に示すように、異なるセット１０、１１のアップリンクチャネル送信パラメータは、電力制御オフセットパラメータを示す。ＵＥが、２０で、第１のセットのアップリンクチャネル送信パラメータを使用するように指示される場合、ＰＵＳＣＨ又はＰＵＣＣＨの送信電力は、電力制御オフ設定パラメータ量だけ増加する。例えば、ＲＮＴＩが、送信がア第１のセットのアップリンクチャネル送信パラメータを使用することを示す場合、３ｄＢの電力制御オフセットが、２１において、ＵＥによってアップリンク送信に適用される。１つ又は複数の電力制御オフセットは、ネットワークによって構成されたＲＲＣとすることができる。
【００７２】
他の実施形態において、図６に示すように、異なるセットのアップリンクチャネル送信パラメータ又はそれらの指示を用いて、アップリンクチャネルに繰り返しを適用する。すなわち、ＵＥが、２５で、第１のセットのパラメータを使用するように指示された場合、ＰＵＳＣＨ又はＰＵＣＣＨは、所定の数だけ繰り返される。この所定の繰り返し数又はセットの所定の繰り返し数は、ネットワークによって構成されたＲＲＣであってもよく、又はＭＣＳレベルに結びつけられてもよい。複数の所定の繰り返し数が構成される場合、ＤＣＩ内の追加フィールドが、どの繰り返し数が使用されるかを示すことができ、新しいＤＣＩフォーマット又はフィールドが使用される。他の実施形態において、新しいＤＣＩフォーマットを使用する代わりに、繰り返し数はＭＣＳの関数とすることができ、すなわち、ＭＣＳレベルが増加するにつれて、繰り返し数が減少する。例えば、ＲＮＴＩが、送信が第１のセットのパラメータを使用すべきであることを示す場合、ＰＵＳＣＨ送信は、４回繰り返され、ＰＵＣＣＨ送信は８回繰り返されるが、ＲＮＴＩが、送信が第２のセットのパラメータを使用すべきであることを示す場合、ＰＵＳＣＨ送信は、２回繰り返され、ＰＵＣＣＨ送信は、４回繰り返される。２６で、ＵＥは、適用された繰り返しを用いてアップリンク送信を行う。
【００７３】
一実施形態において、図７に示すように、この方式はＰＤＳＣＨのためのダウンリンクにおいても使用される。この場合、本明細書に記載されるように、各セットのアップリンクチャネル送信パラメータを使用して、ダウンリンクチャネルに繰り返しを適用する。ＵＥが、３０で、第１のセットのパラメータを使用するように指示される場合、ＰＤＳＣＨ又はＰＤＣＣＨが、３１で、ダウンリンク送信のために所定の数だけ繰り返される。この所定の繰り返し数又はセットの所定の繰り返し数は、ネットワークによって構成されたＲＲＣであってもよく、又はＭＣＳレベルに結びつけられてもよい。複数の所定の繰り返し数が構成される場合、ＤＣＩ内の追加フィールドは、どの繰り返し数が使用されるかを示すことができ、新しいＤＣＩフォーマット又はフィールドが使用される。他の実施形態において、新しいＤＣＩフォーマットを使用する代わりに、繰り返し数はＭＣＳの関数とすることができ、すなわち、ＭＣＳレベルが増加することにつれて、繰り返し数が減少する。例えば、ＲＮＴＩが、送信が第１のセットのパラメータを使用すべきであることを示す場合、ＰＤＳＣＨ送信は、４回繰り返され、ＰＤＣＣＨ送信は、８回繰り返されるが、ＲＮＴＩが、送信が第２のセットのパラメータを使用すべきであることを示す場合、ＰＤＳＣＦ１送信は、２回繰り返され、ＰＤＣＨ送信は、４回繰り返される。
【００７４】
他の実施形態において、ＰＵＣＣＨ（ＰＤＳＣＨに対するＨＡＲＱ−ＡＣＫフィードバックを搬送する）のための異なるセットのアップリンクチャネル送信パラメータがＰＤＳＣＨとＰＵＣＣＨとの間の遅延に関係する。Ｒｅｌ−１５ＮＲは、ＰＤＳＣＨをスケジュールするＤＬグラントを搬送するＤＣＩフォーマット１＿０及びフォーマット１＿１は、ＰＤＳＣＨに対してＰＵＣＣＨをどのスロットに送信するかをＵＥに示す３ビットフィールド「ＰＤＳＣＨ−ｔｏ−ＨＡＲＱ＿フィードバックタイミングインジケータ」を含む（例えば、ＴＳ３８．２１２，「ＮＲ：Ｍｕｌｔｉｐｌｅｘｉｎｇ  ａｎｄ  ｃｈａｎｎｅｌ  ｃｏｄｉｎｇ（Ｒｅｌｅａｓｅ  １５）」を参照）。従って、ＰＤＳＣＨがスロットｎで終了する場合、ＰＵＣＣＨはスロットｎ＋ｋで送信される。ｋはこのＰＤＳＣＨ−ｔｏ−ＨＡＲＱ＿フィードバックタイミングインジケータに指示される。ネットワークは８つの異なるｋ値を構成し、３ビットを使用するＤＣＩは、これらの８つの異なるｋ値のうちの１つを指す。ＵＲＬＬＣは低遅延を必要とし、いくつかの実施例のように、ＵＲＬＬＣのためのＰＤＳＣＨは、スロット（例えば１つのミニスロット）未満の持続時間を有するので、値ｋはより小さい単位、例えばミニスロット（２つのＯＦＤＭシンボル）又は数のＯＦＤＭシンボルである必要がある。従って、ＵＥが第１のセットのパラメータを使用するように指示される場合、「ＰＤＳＣＨ−ｔｏ−ＨＡＲＱ＿フィードバックタイミングインジケータ」は、異なるセットのｋ値を使用し、言い換えれば、ＵＲＬＬＣを搬送するＰＤＳＣＨがミニスロット（又はＯＦＤＭシンボル）ｍで終了する場合、「ＰＤＳＣＨ−ｔｏ−ＨＡＲＱ＿フィードバックタイミングインジケータ」は、ＰＵＣＣＨがミニスロット又はＯＦＤＭシンボルｍ＋ｋで送信される値ｋを示す。この実施形態を説明するために、図８は、上方のアップリンクセクションと下方のダウンリンクセクションがスロットに分割されていることを示しており、これは、次にミニスロットに分割されており、時刻ｔ<SUB>０</SUB>で、ネットワークがＤＬグラントを送信して、時刻ｔ<SUB>１</SUB>でＵＲＬＬＣ  ＵＥに対するＰＤＳＣＨをスケジュールすることを例示している。時刻ｔ<SUB>３</SUB>で、ネットワークは他のＤＬグラントを送信して、同じスロット（スロットｎ）でｅＭＢＢ  ＵＥに対して他のＰＤＳＣＨをスケジューリングする。どちらのＤＬグラントも、「ＰＤＳＣＨ−ｔｏ−ＨＡＲＱ＿フィードバックタイミングインジケータ」が２であることを示している（すなわち、ＵＲＬＬＣ  ＵＥ  ｋ<SUB>１</SUB>＝２及びｅＭＢＢ  ＵＥ  ｋ<SUB>２</SUB>＝２）。ｅＭＢＢ  ＵＥは、第２のセットのパラメータを使用してｋを解釈する。すなわち、ＰＤＳＣＨはスロットｎで終わるので、ＰＵＣＣＨはスロットｎ＋ｋ、すなわちスロットｎ＋２で送信される。しかしながら、ＵＲＬＬＣ  ＵＥについては、ＤＬグラントはＵＲＬＬＣの送信のためと認識され（例えば、ＲＮＴＩを介して、ＰＤＳＣＨ＜２ミニスロットの長さ、等）、第１のセットのパラメータセットを用いて、ｋ<SUB>１</SUB>を解釈する、すなわち、ＰＵＣＣＨは２つ後のミニスロット、すなわち、時刻ｔ<SUB>２</SUB>で送信される。
【００７５】
他の実施形態において、異なるセットのアップリンクチャネル送信パラメータ（の使用）は、図９に示すように、周波数ホッピングパターンを示す。第１のセットのアップリンクチャネル送信パラメータを使用するためにＵＥが３５で（ｅＮｏｄｅＢ又はｇＮＢによって）指示されるとき、周波数ホッピングは、３６での送信に常に適用され、周波数は、ミニスロット間でホップするが、第２のセットの送信パラメータについては、周波数ホッピングは、ＤＣＩ又はＲＲＣシグナリングにより有効にされ、周波数は近接スロット間でホップされる。周波数ホッピングパターンは、ネットワークによって構成されるか、又は異なるセットの送信パラメータのためのＲＡＮの仕様において予め定義される。さらなる実施形態において、繰り返しが構成されるときに、周波数ホッピングが使用される。アップリンク送信について述べてきたが、いくつかの実施形態において、既述の周波数ホッピングはまたダウンリンクＰＤＳＣＨ  ＵＲＬＬＣにも適用可能であり、セットのアップリンクチャネル送信パラメータは、それに応じて、ＰＤＳＣＨ  ＵＲＬＬＣのための対応する周波数ホッピングパターンの指示のために使用される。
【００７６】
他の実施形態において、図１０に示すように、異なるセットのアップリンクチャネル送信パラメータ（の使用）は、送信ダイバーシティスキームを示す。例えば、第１のセットの送信パラメータを使用するためにＵＥが４０で指示されるとき、送信ダイバーシティは４１でアップリンク送信に使用され、他のケースでは使用されない。
【００７７】
他の実施形態において、図１１に示すように、異なるセットのアップリンクチャネル送信パラメータ（の使用）は、ＵＣＩ（アップリンク制御情報）ピギーバックを拒絶することを示す。ＬＴＥでは、ＰＵＣＣＨによって搬送されるＵＣＩが同じＵＥにおけるＰＵＳＣＨ送信と衝突すると、ＵＣＩ情報がＰＵＳＣＨ送信に追加される、すなわちピギーバックされる。これは、ＵＥがＰＡＰＲ（ピーク対平均電力比）の結果を有する２つの異なる物理チャネルを同時に送信しなければならないことを回避する。ＵＲＬＬＣは高い信頼性を必要とするので、追加情報をピギーバックすることはパフォーマンスを低下させる恐れがあるため、例えば、第１のセットのアップリンクチャネル送信パラメータが４５で指示される場合、ピギーバックは、４６で、アップリンク送信のために拒絶される。
【００７８】
さらに、例えば、ＰＵＣＣＨが同じＵＥ内のＰＵＳＣＨと衝突し、ＰＵＳＣＨが第１のセットのアップリンクチャネル送信パラメータを使用するとき、ＵＣＩ情報ビットの数が所定の閾値を下回ると、ＵＣＩのＰＵＳＣＨへのピギーバックは受け入れられ、それ以外の場合は、ピギーバックは拒絶される。この所定閾値は、ネットワークによって設定することも、仕様で予め定義しておくこともできる。
【００７９】
他の実施形態において、ＰＵＣＣＨが同じＵＥ内のＰＵＳＣＨと衝突し、ＰＵＳＣＨが第１のセットのアップリンクチャネル送信パラメータを使用するとき、ＵＣＩが第２のセットのアップリンクチャネル送信パラメータを使用してＰＵＣＣＨによって搬送される場合、ＵＣＩのＰＵＳＣＨへのピギーバックは拒絶される。すなわち、ＵＣＩは、ｅＭＢＢ  ＰＤＳＣＨに対するＨＡＲＱ−ＡＣＫ応答を搬送する。この実施形態を説明するための一例が図１２に示されており、ここでは、上部にアップリンクが示され、下部にダウンリンク送信が示されている。時刻ｔ<SUB>１</SUB>で、ＵＥは、ｅＭＢＢ送信を搬送するＰＤＳＣＨに対するＤＬグラントを受信し、そこで、ＨＡＲＱ−ＡＣＫフィードバックを搬送する対応するＰＵＣＣＨが次のスロットにおいて、時刻ｔ<SUB>４</SUB>で、送信される。このＰＵＣＣＨは、第２のセットのアップリンクチャネル送信パラメータを使用する。時刻ｔ<SUB>３</SUB>で、同じＵＥがＵＲＬＬＣ送信のためのＰＵＳＣＨに対するＵＬグラントを受信し、このＰＵＳＣＨ送信は第１のセットのアップリンクチャネル送信パラメータを使用する。本実施形態において、これはＰＵＳＣＨとＰＵＣＣＨとの間の衝突を引き起こし、ＰＵＣＣＨは第２のセットの送信パラメータを使用するので、ＰＵＳＣＨ送信はＰＵＣＣＨからＵＣＩをピギーバックすることを拒絶する。
【００８０】
他の実施形態において、ＰＵＣＣＨが同じＵＥ内のＰＵＳＣＨと衝突し、ＰＵＳＣＨが第１のセットのアップリンクチャネル送信パラメータを使用するとき、ＵＣＩのＰＵＳＣＨへのピギーバックは、ＵＣＩが第１のセットのアップリンクチャネル送信パラメータを使用してＰＵＣＣＨによって搬送される場合に受け入れられる。つまり、ＵＣＩがＵＲＬＬＣ  ＰＤＳＣＨのＨＡＲＱ−ＡＣＫ応答を搬送する場合である。この実施形態を説明するための一例が図１３に示されており、ここでは、上部においてアップリンクが示され、下部においてダウンリンク送信が示されている。時刻ｔ<SUB>１</SUB>で、ＵＥはＵＲＬＬＣ送信を搬送するＰＤＳＣＨに対するＤＬグラントを受信し、ＨＡＲＱ−ＡＣＫフィードバックを搬送する対応するＰＵＣＣＨは、時刻ｔ<SUB>４</SUB>で、送信される。このＰＵＣＣＨは、第１のセットのアップリンクチャネル送信パラメータを使用する。時刻ｔ<SUB>３</SUB>で、同じＵＥがＵＲＬＬＣ送信のためのＰＵＳＣＨに対するＵＬグラントを受信し、このＰＵＳＣＨ送信は、第１のセットの送信パラメータを使用する。これはＰＵＳＣＨとＰＵＣＣＨとの間の衝突を引き起こし、この実施形態において、ＰＵＣＣＨが第１のセットのアップリンクチャネル送信パラメータを使用するので、ＰＵＳＣＨ送信はＰＵＣＣＨ上のＵＣＩをピギーバックすることを受け入れる。
【００８１】
他の実施形態において、図１４に示すように、２つのＰＵＳＣＨが同じＵＥ内の５０で衝突するとき、第１のセットのアップリンクチャネル送信パラメータを使用するＰＵＳＣＨは、第２のセットのアップリンクチャネル送信パラメータを使用するＰＵＳＣＨよりも高い優先度を有する。第２のセットのアップリンクチャネル送信パラメータを使用するＰＵＳＣＨは、５１でドロップ又は一時停止されて、第１のセットのアップリンクチャネル送信パラメータを使用するＰＵＳＣＨが、５２で、送信できるようにする。
【００８２】
他の実施形態において、図１５に示すように、２つのＰＵＳＣＨ５３及び５４が同じＵＥにおいて５０で衝突し、これらの２つのＰＵＳＣＨ５３及び５４が第１のセットのアップリンクチャネル送信パラメータを使用するとき、後のＰＵＳＣＨ５４は前のＰＵＳＣＨ５３よりも高い優先度を有する。前のＰＵＳＣＨ５３は、ドロップされるか、又は一時停止され、後のＰＵＳＣＨを送信することができる。
【００８３】
他の実施形態において、２つのＰＵＣＣＨが同じＵＥで衝突するとき、第１のセットのアップリンクチャネル送信パラメータを使用するＰＵＣＣＨは、第２のセットのアップリンクチャネル送信パラメータを使用するＰＵＣＣＨよりも高い優先度を有する。第２のセットのアップリンクチャネル送信パラメータを使用するＰＵＣＣＨは、ドロップされるか、又は遅延し、第１のセットのアップリンクチャネル送信パラメータを使用するＰＵＣＣＨを送信できるようにする。
【００８４】
他の実施形態において、図１６に示すように、第１のセットのアップリンクチャネル送信パラメータを使用する２つのＰＵＣＣＨが、５５で、衝突するとき、ＰＵＣＣＨを使用して、ジョイント符号化ＵＣＩが送信される。従って、両方のＰＵＣＣＨのＵＣＩ情報は、５６で、ジョイント符号化され、両方のＵＣＩにおける情報が、遅延なしに送信される。このジョイント符号化ＵＣＩ  ＰＵＣＣＨは、第１のセットのアップリンクチャネル送信パラメータを用いて、５７で、送信される。
【００８５】
上述のように、他のタイプの送信と比較して、異なるＭＣＳテーブルをＵＲＬＬＣ送信に使用することができ、いくつかの実施形態において、ＵＲＬＬＣ送信のために異なるように使用される他の（追加の）送信パラメータが導入される。
【００８６】
本開示の実施形態を実施するために使用される、ＵＥ１００とｅＮＢ１０５（又はＮＲ  ｅＮＢ／ｇＮＢ）、及びＵＥ１００とｅＮＢ１０５との間の通信経路１０４の実施形態について、図１７を参照して説明する。
【００８７】
ＵＥ１００は、送信機１０１、受信機１０２及び制御部１０３を有し、一般に、送信機１０１、受信機１０２及び制御部１０３の技術的機能性は当業者には既知であり、従って、それらのより詳細な説明は省略する。
【００８８】
ｅＮＢ１０５は、送信機１０６、受信機１０７及び制御部１０８を有し、ここでも、一般に、送信機１０６、受信機１０７及び制御部１０８の機能性は当業者には既知であり、従って、それらのより詳細な説明は省略する。
【００８９】
通信路１０４は、ＵＥ１００からｅＮＢ１０５までのアップリンクパス１０４ａと、ｅＮＢ１０５からＵＥ１００までのダウンリンクパス１０４ｂとを有する。
【００９０】
動作中、ＵＥ１００の制御部１０３は、受信機１０２で、ダウンリンクパス１０４ｂによりダウンリンク信号の受信を制御し、制御部１０３は、送信機１０１を介してアップリンクパス１０４ａを介してアップリンク信号の送信を制御する。
【００９１】
同様に、動作中、ｅＮＢ１０５の制御部１０８は、送信機１０６によりダウンリンクパス１０４ｂを介してダウンリンク信号の送信を制御し、制御部１０８は、受信機１０７においてアップリンクパス１０４ａを介してアップリンク信号の受信を制御する。
【００９２】
以下では、汎用コンピュータ１３０の一実施形態を、図１８を参照して説明する。コンピュータ１３０は、基本的に、本明細書に記載されるように、任意のタイプの基地局又は新無線基地局、送受信ポイント、又はユーザ機器として機能することができるように実装することができる。コンピュータは、本明細書に記載されるように、基地局及びユーザ機器の回路のうちの任意の１つ等の回路を形成することができるコンポーネント１３１〜１４１を有する。
【００９３】
ソフトウェア、ファームウェア、プログラム等を用いて本明細書に記載されている方法を実行する実施形態は、コンピュータ１３０にインストールすることができ、これらは、具体的な実施形態に適するように構成される。
【００９４】
コンピュータ１３０には、ＣＰＵ１３１（中央処理ユニット）があり、例えば、リードオンリーメモリ（ＲＯＭ）１３２に記憶され、記憶装置１３７に記憶され、ランダムアクセスメモリ（ＲＡＭ）１３３にロードされ、各ドライブ１３９に挿入可能な媒体１４０に記憶されたプログラムに従って、本明細書に記載して様々なタイプの手順や方法を実行することができる。
【００９５】
ＣＰＵ１３１、ＲＯＭ１３２、ＲＡＭ１３３は、バス１４１で接続されており、このバスは、入出力インターフェース１３４に接続されている。ＣＰＵ、メモリ及び記憶装置の数は例示に過ぎず、当業者であれば、コンピュータ１３０が基地局として又はユーザ機器として機能するときに生じる特定の要件を満たすために、それに応じて適合され、構成されることが分かるであろう。
【００９６】
入出力インタフェース１３４には、入力部１３５、出力部１３６、記憶装置１３７、通信インターフェース１３８、及びドライブ１３９といういくつかのコンポーネントが接続され、それに媒体１４０（コンパクトディスク、デジタルビデオディスク、コンパクトフラッシュ(登録商標)メモリ等）を挿入することができる。
【００９７】
入力部１３５は、ポインタデバイス（マウス、グラフィックテーブル等）、キーボード、マイクロフォン、カメラ、タッチスクリーン等とすることができる。
【００９８】
出力部１３６は、ディスプレイ（液晶ディスプレイ、陰極線管ディスプレイ、発光ダイオードディスプレイ等）、スピーカ等を有することができる。
【００９９】
記憶装置１３７は、ハードディスク、ソリッドステートドライブ等を有することができる。
【０１００】
通信インターフェース１３８は、例えば、ローカルエリアネットワーク（ＬＡＮ）、無線ローカルエリアネットワーク（ＷＬＡＮ）、移動体電気通信システム（ＧＳＭ、ＵＭＴＳ、ＬＴＥ、ＮＲ等）、Ｂｌｕｅｔｏｏｔｈ、赤外線等を介して通信するように構成することができる。
【０１０１】
なお、上記の説明は、コンピュータ１３０の構成例にのみ関係する。変形の構成は、追加又は他のセンサ、記憶デバイス、インターフェース等を用いて実装されてもよい。例えば、通信インターフェース１３８は、前述したＵＭＴＳ、ＬＴＥ、及びＮＲ以外の他の無線アクセス技術をサポートし得る。
【０１０２】
コンピュータ１３０が基地局として機能するとき、通信インターフェース１３８は、それぞれのエアインターフェース（例えば、Ｅ−ＵＴＲＡプロトコルＯＦＤＭＡ（ダウンリンク）及びＳＣ−ＦＤＭＡ（アップリンク）を提供する）及びネットワークインターフェース（例えば、Ｓ１−ＡＰ、ＧＴＰ−Ｕ、Ｓ１−ＭＭＥ、Ｘ２−ＡＰ等のプロトコルを実装する）をさらに有することができる。さらに、コンピュータ１３０は、１つ又は複数のアンテナ及び／又はアンテナアレイを有していてもよい。本開示は、そのような特定のプロトコルに限定されない。
【０１０３】
本明細書に記載される方法は、いくつかの実施形態において、コンピュータ及び／又はプロセッサ及び／又は回路上で実行されるときに、コンピュータ及び／又はプロセッサ及び／又は回路に方法を実行させるコンピュータプログラムとしても実装される。いくつかの実施形態において、上述のプロセッサ及び／又は回路等のプロセッサ及び／又は回路によって実行されると、本明細書に記載の方法を実行させるコンピュータプログラム製品を記憶する非一時的なコンピュータ可読記録媒体も提供される。
【０１０４】
なお、実施形態は、方法ステップの例示的な順序で方法を説明するものとする。しかしながら、方法ステップの特定の順序は、例示の目的のみのために与えられ、拘束力のあるものとして解釈されるべきではない。
【０１０５】
本明細書に記載され、添付の特許請求の範囲に請求されるすべてのユニット及びエンティティは、特に記載がない限り、例えば、チップ上の集積回路ロジックとして実装することができ、そのようなユニット及びエンティティによって提供される機能は、特に記載がない限り、ソフトウェアによって実行することができる。
【０１０６】
上述の開示の実施形態が少なくとも部分的に、ソフトウェア制御されたデータ処理装置を使用して実施される限り、そのようなソフトウェア制御を提供するコンピュータプログラム、ならびにそのようなコンピュータプログラムが提供される送信装置、記憶装置、又は他の媒体が、本開示の態様として想定されるものとする。
【０１０７】
なお、本技術は以下のような構成も採ることができる。
（１）少なくとも１つのユーザ機器と通信するように構成された回路を含む移動通信システムのための基地局であって、前記回路は、データ送信のために前記少なくとも１つのユーザ機器によって使用される第１のセットのアップリンクチャネル送信パラメータ及び第２のセットのアップリンクチャネル送信パラメータの使用を示すようにさらに構成される、基地局。
（２）前記第１のセットのアップリンクチャネル送信パラメータは、ショートデータ送信を指し、前記第２のセットのアップリンクチャネル送信パラメータは、ロングデータ送信を指す、（１）に記載の基地局。
（３）前記第１のセットと前記第２のセットのアップリンクチャネル送信パラメータの使用は、無線ネットワーク一時識別子、ダウンリンク制御情報フォーマット、物理ダウンリンク制御チャネル制御リソースセット、サーチスペース、物理アップリンク共有チャネルに対するグラントフリーリソースの使用、スロット数の占有、無線リソース制御のうちの少なくとも１つに基づいて指示される、（１）又は（２）に記載の基地局。
（４）前記第１のセット及び第２のセットのアップリンクチャネル送信パラメータの使用は、信号付き物理アップリンク制御チャネルリソースに基づいて、及び物理アップリンク制御チャネルリソースセット識別、物理アップリンク制御チャネルリソース識別、リソース識別のグループのうちの少なくとも１つに基づいて、暗黙的に指示される、（１）又は（２）に記載の基地局。
（５）前記第１のセット及び前記第２のセットのアップリンクチャネル送信パラメータは、電力制御パラメータに関連する、（１）から（４）のいずれか一つに記載の基地局。
（６）前記第１のセット及び前記第２のセットのアップリンクチャネル送信パラメータは、異なる物理アップリンク制御チャネルリソースに関連する、（１）から（５）のいずれか一つに記載の基地局。
（７）前記第１及び第２のセットのアップリンクチャネル送信パラメータセットは、アップリンク又はダウンリンク送信で使用される繰り返しに関連する、（１）から（６）のいずれか一つに記載の基地局。
（８）前記第１及び第２のアップリンクチャネル送信パラメータは、物理ダウンリンク共有チャネル及び物理アップリンク制御チャネルのうちの少なくとも１つに対する遅延に関連する、（１）から（７）のいずれか一つに記載の基地局。
（９）前記第１及び第２のセットのアップリンクチャネル送信パラメータは、周波数ホッピングパターンに関連する、（１）から（８）のいずれか一つに記載の基地局。
（１０）前記第１のセット及び前記第２のセットのアップリンクチャネル送信パラメータは、送信ダイバーシティ方式に関連する、（１）から（９）のいずれか一項に記載の基地局。
（１１）前記第１及び第２のセットのアップリンクチャネル送信パラメータは、ピギーバックが使用されるかどうかに関連する、（１）から（１０）のいずれか一つに記載の基地局。
（１２）アップリンク制御情報のピギーバックの使用が指示される、（１１）に記載の基地局。
（１３）前記第１のセットのアップリンクチャネル送信パラメータの使用が、前記データ送信のために指示される場合、アップリンク制御情報のピギーバックは使用されない、（１２）に記載の基地局。
（１４）前記第１のセットのアップリンクチャネル送信パラメータの使用が、前記データ送信のために示され、前記アップリンク制御情報の量が閾値未満である場合に、アップリンク制御情報のピギーバックは使用される、（１２）に記載の基地局。
（１５）前記第１のセットのアップリンクチャネル送信パラメータの使用が、前記データ送信のために指示されるとき、及び、前記アップリンク制御情報が、前記第２のセットのアップリンクチャネル送信パラメータを使用して、物理アップリンク制御チャネルによって搬送されるとき、アップリンク制御情報のピギーバックは使用されない、（１２）に記載の基地局。
（１６）第１のセットのアップリンクチャネル送信パラメータの使用がデータ送信のために指示されるとき、及びアップリンク制御情報が第１のセットのアップリンクチャネル送信パラメータを使用して物理アップリンク制御チャネルによって搬送されるとき、アップリンク制御情報のピギーバックは使用される、（１２）に記載の基地局。
（１７）２つの物理アップリンク共有チャネルが衝突するとき、前記第１のセットのアップリンクチャネル送信パラメータを使用する前記物理アップリンク共有チャネルは、前記第２のセットのアップリンクチャネル送信パラメータを使用する前記物理アップリンク共有チャネルよりも優先度を有する、（１）から（１６）のいずれか一つに記載の基地局。
（１８）２つの物理アップリンク共有チャネルが衝突し、前記２つの物理アップリンク共有チャネルが、前記第１のセットの前記アップリンクチャネル送信パラメータを使用するとき、後の物理アップリンク共有チャネルは、前の物理アップリンク共有チャネルよりも優先度を有する、（１）から（１８）のいずれか一つに記載の基地局。
（１９）２つの物理アップリンク制御チャネルが衝突するとき、前記第１のセットのアップリンクチャネル送信パラメータを使用する前記物理アップリンク制御チャネルは、前記第２のセットのアップリンクチャネル送信パラメータを使用する前記物理アップリンク制御チャネルよりも優先度を有する、（１）〜（１８）のいずれか一つに記載の基地局。
（２０）前記第１のセットの前記アップリンクチャネル送信パラメータを使用する２つの物理アップリンク制御チャネルが衝突するとき、両方の物理アップリンク制御チャネルのアップリンク制御情報が、単一の物理アップリンク制御チャネル送信に共同で符号化される、（１）から（１９）のいずれか一つに記載の基地局。
（２１）少なくとも１つの基地局と通信するように構成された回路を含む、移動体通信システムのためのユーザ機器であって、前記回路は、データ送信のための第１のセットのアップリンクチャネル送信パラメータ及び第２のセットのアップリンクチャネル送信パラメータの使用の指示を受信するようにさらに構成される、ユーザ機器。
（２２）前記第１のセットのアップリンクチャネル送信パラメータは、ショートデータ送信を指し、前記第２のセットのアップリンクチャネル送信パラメータは、ロングデータ送信を指す、（２１）に記載のユーザ機器。
（２３）前記第１のセットと前記第２のセットのアップリンクチャネル送信パラメータの使用は、無線ネットワーク一時識別子、ダウンリンク制御情報フォーマット、物理ダウンリンク制御チャネル制御リソースセット、サーチスペース、物理アップリンク共有チャネルに対するグラントフリーリソースの使用、スロット数の占有、無線リソース制御のうちの少なくとも１つに基づいて指示される、（２１）又は（２２）に記載のユーザ機器。
（２４）前記第１のセット及び第２のセットのアップリンクチャネル送信パラメータの使用は、信号付き物理アップリンク制御チャネルリソースに基づいて、及び物理アップリンク制御チャネルリソースセット識別、物理アップリンク制御チャネルリソース識別、リソース識別のグループのうちの少なくとも１つに基づいて、暗黙的に指示される、（２１）又は（２２）に記載のユーザ機器。
（２５）前記第１及び第２のセットのアップリンクチャネル送信パラメータは、電力制御パラメータに関連している、（２１）から（２４）のいずれか一つに記載のユーザ機器。
（２６）前記第１及び前記第２のセットのアップリンクチャネル送信パラメータは、異なる物理アップリンク制御チャネルリソースに関連している、（２１）から（２５）のいずれか一つに記載のユーザ機器。
（２７）前記第１及び第２のセットのアップリンクチャネル送信パラメータは、アップリンク又はダウンリンク送信において使用される繰り返しに関連している、（２１）から（２６）のいずれか一つに記載のユーザ機器。
（２８）前記第１及び第２のセットのアップリンクチャネル送信パラメータは、物理ダウンリンク共有チャネル及び物理アップリンク制御チャネルのうちの少なくとも１つの遅延に関連している、（２１）から（２７）のいずれか一つに記載のユーザ機器。
（２９）前記第１及び前記第２のセットのアップリンクチャネル送信パラメータは、周波数ホッピングパターンに関連している、（２１）から（２８）のいずれか一つに記載のユーザ機器。
（３０）前記第１及び第２のセットのアップリンクチャネル送信パラメータは、送信ダイバーシティ方式に関連している、（２１）から（２９）のいずれか一つに記載のユーザ機器。
（３１）前記第１及び第２のアップリンクチャネル送信パラメータセットは、ピギーバックが使用されるかどうかに関連している、（２１）から（３０）のいずれか一つに記載のユーザ機器。
（３２）アップリンク制御情報のピギーバックの使用が指示される、（２１）から（３０）のいずれか一つに記載のユーザ機器。
（３３）前記第１のセットのアップリンクチャネル送信パラメータの使用が前記データ送信のために指示される場合、アップリンク制御情報のピギーバックは使用されない、（３２）に記載のユーザ機器。
（３４）前記第１のセットのアップリンクチャネル送信パラメータの使用が、前記データ送信のために示され、前記アップリンク制御情報の量が閾値未満である場合、アップリンク制御情報のピギーバックが使用される、（３２）に記載のユーザ機器。
（３５）第１のセットのアップリンクチャネル送信パラメータの使用がデータ送信のために指示されるとき、及び前記アップリンク制御情報が第２のセットのアップリンクチャネル送信パラメータを使用して物理アップリンク制御チャネルによって搬送されるとき、アップリンク制御情報のピギーバックは使用されない、（３２）に記載のユーザ機器。
（３６）第１のセットのアップリンクチャネル送信パラメータの使用がデータ送信のために指示されるとき、及び前記アップリンク制御情報が第１のセットのアップリンクチャネル送信パラメータを使用して物理アップリンク制御チャネルによって搬送されるとき、アップリンク制御情報のピギーバックは使用される、（３２）に記載のユーザ機器。
（３７）２つの物理アップリンク共有チャネルが衝突した場合、第１のセットのアップリンクチャネル送信パラメータを使用する前記物理アップリンク共有チャネルは、第２のセットのアップリンクチャネル送信パラメータを使用する前記物理アップリンク共有チャネルよりも優先度を有する、（２１）から（３６）のいずれか一つに記載のユーザ機器。
（３８）２つの物理アップリンク共有チャネルが衝突し、前記２つの物理アップリンク共有チャネルが第１のセットのアップリンクチャネル送信パラメータを使用する場合、後の物理アップリンク共有チャネルは、前の物理アップリンク共有チャネルよりも優先度を有する、（２１）〜（３７）のいずれか一つに記載のユーザ機器。
（３９）２つの物理アップリンク制御チャネルが衝突するとき、前記第１のセットのアップリンクチャネル送信パラメータを使用する前記物理アップリンク制御チャネルは、前記第２のセットのアップリンクチャネル送信パラメータを使用する前記物理アップリンク制御チャネルよりも優先される、（２１）から（３７）のいずれか一つに記載のユーザ機器。
（４０）前記第１のセットのアップリンクチャネル送信パラメータを使用する２つの物理アップリンク制御チャネルが衝突するとき、両方の物理アップリンク制御チャネルのアップリンク制御情報が、単一の物理アップリンク制御チャネル送信に共同で符号化される、（２１）から（３８）のいずれか一つに記載のユーザ機器。
（４１）少なくとも１つのユーザ機器と通信するように構成された移動通信システムのための、基地局、特に（１）から（２０）のいずれか一つに記載の基地局のための回路であって、前記回路は、データ送信のために前記少なくとも１つのユーザ機器によって使用される第１のセットのアップリンクチャネル送信パラメータ及び第２のセットのアップリンクチャネル送信パラメータの使用を示すようにさらに構成される、回路。
（４２）少なくとも１つの基地局と通信するように構成された移動通信システムのための、ユーザ機器、特に（２１）から（４０）のいずれか一項に記載のユーザ機器のための回路であって、前記回路は、データ送信のための第１のセットのアップリンクチャネル送信パラメータ及び第２のセットのアップリンクチャネル送信パラメータの使用の指示を受信するようにさらに構成される、ユーザ機器のための回路。
（４３）少なくとも１つの基地局と少なくとも１つのユーザ機器との間の通信を提供するように構成されたモバイル遠隔通信システムであって、前記少なくとも１つの基地局は、特に（１）から（２０）のいずれかに従って、データ送信のために少なくとも１つのユーザ機器によって使用される第１のセットのアップリンクチャネル送信パラメータ及び第２のセットのアップリンクチャネル送信パラメータの使用を示すように構成された回路を備え、前記少なくとも１つのユーザ機器は、特に（２１）から（４０）のいずれかに従って、データ送信のために第１のセットのアップリンクチャネル送信パラメータ及び第２のセットのアップリンクチャネル送信パラメータの使用の指示を受信するように構成された回路を含む、モバイル遠隔通信システム。
（４４）少なくとも１つの基地局と少なくとも１つのユーザ機器との間の通信を提供するためのモバイル遠隔通信システム方法であって、データ送信のために少なくとも１つのユーザ機器によって使用される第１のセットのアップリンクチャネル送信パラメータ及び第２のセットのアップリンクチャネル送信パラメータの使用を示す、又は、データ送信のために第１のセットのアップリンクチャネル送信パラメータ及び第２のセットのアップリンクチャネル送信パラメータの使用の指示を受信することを含む、モバイル遠隔通信システム方法。
【図１】
2021532652.tif 000003
【図２】
2021532652.tif 000004
【図３】
2021532652.tif 000005
【図４】
2021532652.tif 000006
【図５】
2021532652.tif 000007
【図６】
2021532652.tif 000008
【図７】
2021532652.tif 000009
【図８】
2021532652.tif 000010
【図９】
2021532652.tif 000011
【図１０】
2021532652.tif 000012
【図１１】
2021532652.tif 000013
【図１２】
2021532652.tif 000014
【図１３】
2021532652.tif 000015
【図１４】
2021532652.tif 000016
【図１５】
2021532652.tif 000017
【図１６】
2021532652.tif 000018
【図１７】
2021532652.tif 000019
【図１８】
2021532652.tif 000020
【国際調査報告】
2021532652.tif 000021
2021532652.tif 000022
2021532652.tif 000023